(57)【要約】【課題】部品の種類を抑えることができる設備装置を提供する。【解決手段】設備装置１００は、前部カバー２と、前部カバー２の後方に配置された後部カバー１と、前部カバー２と後部カバー１との間に形成された収容空間に収容されるとともに、前部カバー２の後部に取り付けられた機能部５０，６０，９０と、を備え、前部カバー２の前面２１ｆに機能部の少なくとも一部５０，６０，９０と対応する機能パネル４が設けられていることを特徴とする。【選択図】図２
2019052497.tif 000002
【特許請求の範囲】
【請求項１】
前部カバーと、
該前部カバーの後方に配置された後部カバーと、
前記前部カバーと前記後部カバーとの間に形成された収容空間に収容されるとともに、前記前部カバーの後部に取り付けられた機能部と、を備えることを特徴とする設備装置。
【請求項２】
壁の前面に取り付けられた壁掛け仕様と、前記壁に形成された開口内に少なくとも後部が配置された埋め込み仕様とのいずれかで構成され、
前記壁掛け仕様と前記埋め込み仕様とで、前記前部カバーが同じである請求項１に記載の設備装置。
【請求項３】
前記前部カバーの前面に前記機能部の少なくとも一部と対応する機能パネルが設けられている請求項１または２に記載の設備装置。
【発明の詳細な説明】
【技術分野】
【０００１】
本発明は、設備装置に関するものである。
【背景技術】
【０００２】
従来から、トイレには、排泄時の行為音が外部に聞こえてしまうことを防止するために、水洗トイレの流水音や川のせせらぎの音を発生させる擬音装置が設置されている。この擬音装置として、センサー、停止スイッチ及びスピーカー本体等の機能部品がケース内に収容され、ケースの表側（利用者側）にフロントカバーが設けられたものが提案されている。フロントカバーには、センサー及び停止スイッチに対応する位置に貫通孔がそれぞれ形成されていて、フロントカバーがケースに取り付けられた状態で、対応する貫通孔からセンサー及び停止スイッチが露出している。また、フロントカバーには、スピーカー本体と対応する位置に、複数の貫通孔であるスピーカー孔が形成されている（下記の特許文献１参照）。
【０００３】
ところで、このような擬音装置は、トイレの壁面にブラケット等を介して取り付けられたいわゆる壁掛け仕様のものや、壁内に擬音装置の一部（後部）が埋め込まれた埋め込み仕様のものがある。
【先行技術文献】
【特許文献】
【０００４】
【特許文献１】特開２０１２−９０９７１号公報
【発明の概要】
【発明が解決しようとする課題】
【０００５】
しかしながら、上記の壁掛け仕様の擬音装置と埋め込み仕様の擬音装置とでは、ケース及びフロントカバーが各仕様で異なるため、ケース及びフロントカバーを各仕様にあわせて品揃えしなければならず、部品点数が増えてしまうという問題点がある。
【０００６】
そこで、本発明は、上記事情に鑑みてなされたものであり、部品の種類を抑えることができる設備装置を提供する。
【課題を解決するための手段】
【０００７】
上記目的を達成するために、本発明は以下の手段を採用している。
すなわち、本発明に係る設備装置は、前部カバーと、該前部カバーの後方に配置された後部カバーと、前記前部カバーと前記後部カバーとの間に形成された収容空間に収容されるとともに、前記前部カバーの後部に取り付けられた機能部と、を備えることを特徴とする。
【０００８】
このように構成された設備装置では、機能部は、前部カバーと後部カバーとの間に形成された収容空間に収容されて、前部カバーの後部に取り付けられている。このため、設備装置の機能自体は前部カバーと機能部とで成り立つ。よって、後部カバーを設備装置が取付けられる形態に応じた形状として、前部カバーを共通化することができるため、部品の種類を抑えることができる。
【０００９】
また、本発明に係る設備装置は、壁の前面に取り付けられた壁掛け仕様と、前記壁に形成された開口内に少なくとも後部が配置された埋め込み仕様とのいずれかで構成され、前記壁掛け仕様と前記埋め込み仕様とで、前記前部カバーが同じであることが好ましい。
【００１０】
このように構成された設備装置では、壁掛け仕様と埋め込み仕様とで、前部カバーを共通化することができるため、部品の種類を抑えることができる。
【００１１】
また、本発明に係る設備装置は、前記前部カバーの前面に前記機能部の少なくとも一部と対応する機能パネルが設けられていることが好ましい。
【００１２】
このように構成された設備装置では、前部カバーの前面に機能部の少なくとも一部と対応する機能パネルが設けられている。よって、前部カバーを合成樹脂で成型する際には、成型時に前面にヒケ（凹み等）が生じても、ヒケを機能パネルで隠すことができる。
【発明の効果】
【００１３】
本発明に係る設備装置によれば、部品の種類を抑えることができる。
【図面の簡単な説明】
【００１４】
【図１】本発明の一実施形態に係る擬音装置（ＡＣ１００Ｖ式壁掛け仕様）を斜め前方から見た斜視図である。
【図２】本発明の一実施形態に係る擬音装置（ＡＣ１００Ｖ式壁掛け仕様）の分解斜視図であり、斜め前方から見た図である。
【図３】本発明の一実施形態に係る擬音装置（ＡＣ１００Ｖ式壁掛け仕様）の分解斜視図であり、斜め後方から見た図である。
【図４】図１のＡ−Ａ線断面図である。
【図５】本発明の一実施形態に係る擬音装置の前部カバー側を後方から見た分解斜視図である。
【図６】本発明の一実施形態に係る擬音装置（電池式壁掛け仕様）の分解斜視図であり、斜め前方から見た図である。
【図７】本発明の一実施形態に係る擬音装置（電池式壁掛け仕様）の分解斜視図であり、斜め後方から見た図である。
【図８】本発明の一実施形態に係る擬音装置（ＡＣ１００Ｖ式埋め込み仕様）の分解斜視図であり、斜め前方から見た図である。
【図９】本発明の一実施形態に係る擬音装置（ＡＣ１００Ｖ式埋め込み仕様）の分解斜視図であり、斜め後方から見た図である。
【図１０】本発明の一実施形態の変形例に係る擬音装置（ＡＣ１００Ｖ式埋め込み仕様）の分解斜視図であり、斜め後方から見た図である。
【発明を実施するための形態】
【００１５】
以下、本発明の一実施形態に係る擬音装置の一例として、ＡＣ１００Ｖ式壁掛け仕様の擬音装置、電池式壁掛け仕様の擬音装置及びＡＣ１００Ｖ式埋め込み仕様の擬音装置を図１から図９に基づいて説明する。
まず、ＡＣ１００Ｖ式壁掛け仕様の擬音装置について説明する。
図１は、本発明の一実施形態に係る擬音装置（ＡＣ１００Ｖ式壁掛け仕様）を前方から見た斜視図である。
図１に示すＡＣ１００Ｖ式壁掛け仕様の擬音装置１００（以下、擬音装置１００と称する）は、擬音を発生するための装置である。擬音装置１００は、トイレの壁（不図示）等にブラケットＢ（図２参照）を介して取り付けられている。
なお、以下の説明において、擬音装置１００に対向する利用者側を前方と称し、利用者と反対側（壁側）を後方と称し、これら前方と後方とを結ぶ方向を前後方向と称する。また、利用者から見て左側を左側と称し、利用者から見て右側を右側と称し、これら左側と右側とを結ぶ方向を左右方向と称する。
【００１６】
図２は、擬音装置１００の分解斜視図であり、斜め前方から見た図である。図３は、擬音装置１００の分解斜視図であり、斜め後方から見た図である。なお、図２及び図３には、擬音装置１００を壁に取り付けるためのブラケットＢも合わせて示している。
図２及び図３に示すように、擬音装置１００は、ロアケース（後部カバー）１と、アッパーケース（前部カバー）２と、フロントパネル（機能パネル）４と、を有している。
【００１７】
図２に示すように、ロアケース１は、後部ケース本体１０を有している。後部ケース本体１０は、正面視（前方から見て）矩形状に形成され、板厚方向を前後方向に向けた後板部１１を有している。
【００１８】
後板部１１の外縁部には、前方に向かって立設された後部側壁部１２が設けられている。後部側壁部１２は、後板部１１の外縁部の全周にわたって設けられている。
【００１９】
図４は、図１のＡ−Ａ線断面図である。
図４に示すように、後部側壁部１２の前端部の外縁側には、後方に凹む段部１２ａが形成されている。段部１２ａは、後部側壁部１２の全周に形成されている。
【００２０】
図２に示すように、後板部１１には、前方に突出する固定筒状部１６が設けられている。固定筒状部１６は、前後方向を軸線方向とし、円筒状をなしている。後板部１１から固定筒状部１６に連通して、前後方向に貫通する貫通孔１６ｈが形成されている。固定筒状部１６は、後板部１１の四隅及び上部における左右方向の略中央に設けられている。
【００２１】
後板部１１には、前方に突出する係止筒状部１７が設けられている。係止筒状部１７は、前後方向を軸線方向とし、上下方向に長い筒状をなしている。後板部１１から係止筒状部１７に連通して、前後方向に貫通する貫通孔１７ｈが形成されている。係止筒状部１７は、後板部１１の四隅近傍に設けられている。詳細には、係止筒状部１７は、後板部１１の上部の隅部の固定筒状部１６よりも僅かに下方及び後板部１１の下部の隅部の固定筒状部１６よりも僅かに上方に設けられている。係止筒状部１７には、ブラケットＢの係止片ｂ１が係止可能とされている。
【００２２】
図３に示すように、後板部１１の下部には、電線引き込み開口１１ｈが形成されている。電線引き込み開口１１ｈには、後述するＶＶＦケーブルｃ１が挿通可能とされている。電線引き込み開口１１ｈには、後板部１１の後面から開閉自在な電源カバー１１ｋが設けられている。
【００２３】
後板部１１において、電線引き込み開口１１ｈよりも上方には、スイッチ用開口１１ｊが形成されている。スイッチ用開口１１ｊには、後板部１１の後面から開閉自在なスイッチカバー１１ｍが設けられている。
【００２４】
図２に示すように、アッパーケース２は、前部ケース本体２０を有している。前部ケース本体２０は、正面視矩形状に形成され、板厚方向を前後方向に向けた前板部２１を有している。本実施形態では、アッパーケース２は、合成樹脂で成型されている。
【００２５】
図２から図４に示すように、前板部２１は、ロアケース１の後板部１１の前方に配置されている。前板部２１とロアケース１の後板部１１との間は、後述する作動ランプ５０、センサーユニット６０、スピーカーユニット９０、第一基板５１、第二基板５２、端子ユニット８０及びスイッチ７０等を収容可能な収容空間Ｓとされている。
【００２６】
図２に示すように、前板部２１の前面２１ｆの上下方向の中間部には、上壁部２２及び下壁部２３が形成されている。上壁部２２及び下壁部２３は、前板部２１の前面２１ｆから後方に向かって折曲されている。上壁部２２及び下壁部２３は、前板部２１の左右方向の全長に形成されている。上壁部２２は、下壁部２３よりも上方に配置されている。上壁部２２の後端部と下壁部２３の後端部とは、底壁部２４により接続されている。
【００２７】
これら上壁部２２、下壁部２３及び底壁部２４により、前板部２１の前面２１ｆから後方に凹む嵌合凹部２５が形成されている。嵌合凹部２５は、前板部２１の上下方向の略中央に形成されている。嵌合凹部２５は、前板部２１の左右方向全長にわたって形成されている。嵌合凹部２５は、正面視左右方向に長い矩形状をなしている。
【００２８】
嵌合凹部２５の底壁部２４には、スピーカー取付孔２４ｈ、ランプ取付孔２４ｊ及びセンサー取付孔２４ｋが形成されている。各取付孔２４ｈ，２４ｊ，２４ｋは、前板部２１（底壁部２４）を前後方向に貫通して形成されている。スピーカー取付孔２４ｈ、ランプ取付孔２４ｊ及びセンサー取付孔２４ｋは、正面視で右側から左側に向かってこの順で並んで配置されている。
【００２９】
スピーカー取付孔２４ｈは、正面視略円形状をなしている。スピーカー取付孔２４ｈの中心には、略円形状をなす中央接続部２６が設けられている。中央接続部２６には、上方、下方且つ左方、及び下方且つ右方のそれぞれに延びる接続片部２７が設けられている。３本の接続片部２７における中央接続部２６側と反対側の端部は、嵌合凹部２５の底壁部２４のスピーカー取付孔２４ｈの外縁部に接続されている。
【００３０】
ランプ取付孔２４ｊは、正面視略円形状をなしている。センサー取付孔２４ｋは、正面視矩形状をなしている。
【００３１】
前板部２１の外縁部には、後方に向かって立設された前部側壁部３２が設けられている。前部側壁部３２は、前板部２１の外縁部の全周にわたって設けられている。
【００３２】
図４に示すように、前部側壁部３２の後端部の外縁側には、後方に突出する突出壁部３２ａが形成されている。突出壁部３２ａはロアケース１の後部側壁部１２の段部１２ａに対向配置され、突出壁部３２ａと段部１２ａとは係合されている。これにより、アッパーケース２とロアケース１とは組み付けられ、上下方向及び左右方向の移動が規制されている。
【００３３】
図３に示すように、前板部２１の後面には、後方に突出する固定筒状部３６が設けられている。固定筒状部３６は、前後方向を軸線方向とし、円筒状をなしている。固定筒状部３６には、前後方向に延びる取付穴３６ｈが形成されている。取付穴３６ｈには、雌ネジ（不図示）が形成されている。固定筒状部３６はロアケース１の固定筒状部１６と対応する位置に設けられ、固定筒状部３６の取付穴３６ｈはロアケース１の固定筒状部１６の貫通孔１６ｈと連通している。ロアケース１の固定筒状部１６の貫通孔１６ｈに後方から挿通された螺子１６ｚが、アッパーケース２の固定筒状部３６の取付穴３６ｈに螺合されている。
【００３４】
前板部２１の後面には、後方に突出する係止筒状部３７が設けられている。係止筒状部３７は、前後方向を軸線方向とし、上下方向に長い筒状をなしている。係止筒状部３７には、前後方向に延びる取付穴３７ｈが形成されている。係止筒状部３７はロアケース１の係止筒状部１７と対応する位置に設けられ、係止筒状部３７の取付穴３７ｈはロアケース１の係止筒状部１７の貫通孔１７ｈと連通している。貫通孔１７ｈの上面には、下方に突出する突出片（不図示）が設けられている。貫通孔１７ｈに挿通されたブラケットＢの係止片ｂ１は、突出片に係止されている。詳細には、係止片ｂ１の下部は突出片の下方に配置され、係止片ｂ１の先端部は貫通孔１７ｈから取付穴３７ｈにまたがって突出片の前方に配置されている。
【００３５】
アッパーケース２には、作動ランプ５０、第一基板５１、センサーユニット６０、スイッチ７０、第二基板５２、端子ユニット８０及びスピーカーユニット９０（作動ランプ５０〜スピーカーユニット９０の全てが機能部）が取り付けられている。
【００３６】
作動ランプ５０は、アッパーケース２の後方から、ランプ取付孔２４ｊに設けられている。
【００３７】
第一基板５１は、アッパーケース２の後部に設けられている。第一基板５１の前面には、図２に示すセンサーユニット６０が設けられている。センサーユニット６０は、筐体６１と、筐体６１内に配置された３個の投光素子６６ａ，６６ｂ，６６ｃ及び受光素子６７とを有している。受光素子６７は、投光素子６６ａ，６６ｂ，６６ｃよりも上方に配置されている。センサーユニット６０は、アッパーケース２のセンサー取付孔２４ｋに、投光素子６６ａ，６６ｂ，６６ｃ及び受光素子６７が略前方を向くように配置されている。投光素子６６ａ，６６ｂ，６６ｃから光信号が送信され、光信号が対象物に当たって反射して、受光素子６７が反射信号を受信することにより、センサーユニット６０は対象物の存在の有無を検知している。例えば、投光素子６６ａ，６６ｂ，６６ｃとして発光ＬＥＤ等を採用することができ、受光素子６７として受光ＩＣ等を採用することができる。
【００３８】
投光素子６６ａ，６６ｂ，６６ｃのうち、正面視で最も右側に配置された（操作情報４１に最も近い）投光素子６６ａは、操作情報４１の前方に向かって（前方に向かうにしたがって次第に右側に向かう方向に）光信号を送信して、操作情報４１の前方にかざされた手等を検知（指向）可能である。また、正面視で真ん中に配置された投光素子６６ｂ及び正面視で最も左側に配置された投光素子６６ｃは、それぞれ前方及び前方に向かうにしたがって次第に左側に向かう方向に向かって光信号を送信して、センサーユニット６０の前方にいる利用者を検知可能である。
【００３９】
図３に示すように、第一基板５１の後面には、スピーカーユニット９０から出力される擬音の音量等を調節可能なスイッチ７０が設けられている。スイッチ７０は、ロアケース１のスイッチ用開口１１ｊ内に配置されている。
【００４０】
第二基板５２は、アッパーケース２の後部に設けられている。第二基板５２の後面には、ＶＶＦケーブルｃ１が接続された端子ユニット８０が設けられている。端子ユニット８０は、ロアケース１の電線引き込み開口１１ｈ内に配置されている。
【００４１】
図５は、擬音装置１００のアッパーケース２側を後方から見た分解斜視図である。
図５に示すように、端子ユニット８０は、第二基板５２の後面５２ｂに設けられた端子台８１と、端子台８１を覆うように設けられた端子台カバー８２と、を有している。
【００４２】
端子台８１は、略直方体形状をなし、第二基板５２に半田等で固定されている。端子台８１には、ＶＶＦケーブルｃ１が挿通可能なケーブル孔８１ｈが設けられている。
【００４３】
端子台カバー８２は、端子台８１の後面８１ｂに沿って配置される後壁部８３と、後壁部８３の上端部から前方に延びる上壁部８４と、後壁部８３の下端部から前方に延びる下壁部８５と、を有している。
【００４４】
上壁部８４は、端子台８１の上面８１ｕに沿って配置されている。上壁部８４の前端部には、上方に延びる取付壁部８４ａが設けられている。
【００４５】
下壁部８５は、端子台８１の下面８１ｄに沿って配置されている。下壁部８５の前端部には、下方に延びる取付壁部８５ａが設けられている。
【００４６】
上壁部８４の左端部（ＶＶＦケーブルｃ１側と反対側の端部）と下壁部８５の左端部とは、連結壁部８６で連結されている。連結壁部８６の前端部の上端部及び下端部は、それぞれ取付壁部８４ａ，８５ａに接続されている。連結壁部８６は、端子台８１の左面８１ｍに沿って配置されている。
【００４７】
取付壁部８４ａ，８５ａは、第二基板５２の後面５２ｂに沿って配置されている。螺子８４ｚ，８５ｚが、それぞれ取付壁部８４ａ，８５ａに形成された貫通孔８４ｈ，８５ｈに挿通され、第二基板５２に螺合されている。
【００４８】
端子ユニット８０では、端子台８１の後面８１ｂ、上面８１ｕ、下面８１ｄ及び左面８１ｍに沿って、それぞれ端子台カバー８２の後壁部８３、上壁部８４、下壁部８５及び連結壁部８６が配置されるとともに、端子台カバー８２の取付壁部８４ａ，８５ａが第二基板５２に固定されている。擬音装置１００のメンテナンスの際等にＶＶＦケーブルｃ１が引っ張られて、ＶＶＦケーブルｃ１が挿通可能なケーブル孔８１ｈ等に負荷がかっても、端子台８１が第二基板５２に固定された端子台カバー８２に覆われているため、端子台８１を第二基板５２に固定している半田が外れたりすることが抑制される。
【００４９】
スピーカーユニット９０は、アッパーケース２の後部に設けられている。スピーカーユニット９０は、正面視円形状に形成されている。スピーカーユニット９０も全面は、黒色をなしている。スピーカーユニット９０は、スピーカー本体９１と、スピーカー取付部９２と、を有している。スピーカー取付部９２は、図２に示すアッパーケース２のスピーカー孔４７に設けられた中央接続部２６及び接続片部２７に対応した形状をなしている。スピーカー本体９１は、アッパーケース２の後面とスピーカー取付部９２との間に挟み込まれている。スピーカー取付部９２は、アッパーケース２の前板部２１の後面から後方に突設された固定片２８に螺合されている。スピーカーユニット９０は、アッパーケース２に形成されたスピーカー取付孔２４ｈの位置に対応して、後方に配置されている。
【００５０】
センサーユニット６０が対象物の存在を検知すると、センサーユニット６０の受光素子６７からの検知信号が不図示の制御部に送信される。制御部は、検知信号を受信すると、スピーカーユニット９０に出力信号を送信する。スピーカーユニット９０は出力信号を受信すると、擬音を出力し、所定時間経過後に擬音は停止する。また、擬音の出力中に、センサーユニット６０が対象物の存在を検知すると、センサーユニット６０からの検知信号が不図示の制御部に送信される。制御部は、検知信号を受信すると、スピーカーユニット９０に停止信号を送信する。スピーカーユニット９０は停止信号を受信すると、擬音の出力を停止する。
【００５１】
図１に示すように、フロントパネル４は、アッパーケース２の嵌合凹部（前面）２５に沿って、嵌合凹部２５に沿う左右方向にわたって配置されている。フロントパネル４は、板状をなし、正面視矩形状に形成され、板厚方向を前後方向に向けて配置されている。フロントパネル４は、アッパーケース２の嵌合凹部２５と対応した形状をなしている。換言すると、フロントパネル４の上下方向の長さは、嵌合凹部２５の上壁部２２から下壁部２３までの長さと略同一である。フロントパネル４の左右方向の長さは、嵌合凹部２５の左右方向の長さ（アッパーケース２の前板部２１の左右方向の長さ）と略同一である。フロントパネル４の厚みは、嵌合凹部２５の深さ（前後方向の長さ）と略同一である。
【００５２】
図４に示すように、フロントパネル４は、嵌合凹部２５に嵌合されている。本実施形態では、フロントパネル４は、後面に貼着された両面テープ（不図示）により、アッパーケース２の嵌合凹部２５の底壁部２４に取り付けられている。
【００５３】
フロントパネル４の前面４ｆは、アッパーケース２の前面２１ｆと略同一平面上に配置されている。詳細には、フロントパネル４の前面４ｆは、アッパーケース２の前面２１ｆよりも僅かに後方に配置されている。
【００５４】
図２に示すように、フロントパネル４の左右方向の略中央には、対象物を所定の位置に案内させる操作情報４１が設けられている。換言すると、図１に示すように、操作情報４１は、正面視でセンサーユニット６０と隣り合いつつ、センサーユニット６０の右側に配置されている。本実施形態では、操作情報４１として、手を示すピクトグラム（絵文字）及び「再生／停止」、「ＰＬＡＹ／ＳＴＯＰ」と記載された文字が示されている。なお、操作情報４１は、ピクトグラムのみ又は文字のみであってもよい。
【００５５】
図２に示すように、フロントパネル４において、操作情報４１の上方には、後述する作動ランプ５０の光が透過可能なランプ透過部４２が設けられている。ランプ透過部４２は、作動ランプ５０と対応する位置に設けられている。
【００５６】
フロントパネル４の右側には、スピーカー孔４７及びダミー穴４６が、上下方向に間隔を有して配置された列をなすととともに、当該列が左右方向に間隔を有して複数列配置されている。全体として、正面視略矩形となるように配列され、スピーカー領域Ｘが形成されている。スピーカー領域Ｘは、正面視でスピーカーユニット９０と重なる位置に形成されている。スピーカー領域Ｘは、正面視円形状をなすスピーカーユニット９０の直径を一辺とするように正方形状に形成されている。
【００５７】
スピーカー領域Ｘのうち、四隅に、複数のダミー穴４６が形成されている。ダミー穴４６は、フロントパネル４の板厚方向に貫通されていない穴である。ダミー穴４６は、正面視円形状をなしている。ダミー穴４６は、フロントパネル４の前面４ｆから後面に向かって凹む形状をなしている。ダミー穴４６の凹みの深さ（前後方向の長さ）は、フロントパネル４の板厚の半分よりも浅い（短い）。
【００５８】
スピーカー領域Ｘのうち、ダミー穴４６以外の箇所に、板厚方向に貫通された複数のスピーカー孔４７が形成されている。換言すると、スピーカー孔４７が複数形成されることで、正面視でスピーカーユニット９０と重なった円形状をなしている。スピーカー孔４７は、アッパーケース２のスピーカー取付孔２４ｈと対応した位置に形成されている。
【００５９】
フロントパネル４の左側は、後述するセンサーユニット６０の投光素子６６ａ，６６ｂ，６６ｃが拡散可能なセンサー領域Ｙとされている。センサー領域Ｙは、センサーユニット６０と対応する位置に設けられている。
【００６０】
図３に示すように、フロントパネル４のセンサー領域Ｙの後面４ｂには、投光素子６６ａ，６６ｂ，６６ｃと受光素子６７との間の高さ位置に、溝部４ｊが形成されている。溝部４ｊは、後面４ｂから前方に凹むとともに、左右方向に延びている。溝部４ｊは、前方に向かうにしたがって次第に上下方向の長さが短くなるように形成されている。この溝部４ｊがあることで、投光素子６６ａ，６６ｂ，６６ｃからの迷光を遮断て、投光素子６６ａ，６６ｂ，６６ｃからの光が受光素子６７に直接入り込まないようになっている。
【００６１】
本実施形態では、フロントパネル４は、透明のアクリル樹脂で成型された後、センサー領域Ｙに溝部４ｊを形成する。次いで、フロントパネル４の後面４ｂから操作情報４１を印刷する。次いで、センサー領域Ｙ及びランプ透過部４２をマスキングして、後面４ｂから黒色印刷をする（溝部４ｊにも黒色印刷する）。次いで、ランプ透過部４２に、後面４ｂから光を拡散させる印刷をする。次いで、センサー領域Ｙの後面４ｂに、可視光カットのフィルター（不図示）を設けている。
【００６２】
次に、上記の擬音装置１００の壁への取付方法を説明する。
まず、螺子（不図示）をブラケットＢの取付孔ｂ２（図２参照）に挿通して、壁に螺子止めしておく。壁内のＶＶＦケーブルｃ１をロアケース１の電線引き込み開口１１ｈから引き込み、端子ユニット８０に接続する。電線引き込み開口１１ｈを、電源カバー１１ｋで閉塞する。この際に、スイッチ７０を操作して、擬音の音量等を調整しておく。
【００６３】
次に、螺子１６ｚをロアケース１の固定筒状部１６に挿通して、フロントパネル４が固定されたアッパーケース２の固定筒状部３６に螺合して、アッパーケース２とロアケース１とを一体にしておく。
【００６４】
次に、ブラケットＢの係止片ｂ１を、ロアケース１の係止筒状部１７に係止させる。これにより、擬音装置１００がブラケットＢを介して壁に取り付けられる。
【００６５】
上記の擬音装置１００では、利用者が操作情報４１の前方に手をかざすと、投光素子６６ａから送信された光信号が、手（対象物）に当たって反射して、受光素子６７が反射信号を受信する。受光素子６７は、反射信号に基づいて検知信号を制御部に送信する。制御部は、出力信号をスピーカーユニット９０に送信する。スピーカーユニット９０は、出力信号に基づいて擬音を出力し、所定時間経過後に擬音は停止する。
また、擬音の出力中に、利用者が操作情報４１の前方に手をかざすと、上記と同様に、投光素子６６ａから送信された光信号が手に当たって反射して、受光素子６７が反射信号を受信する。センサーユニット６０は、反射信号に基づいて検知信号を制御部に送信する。制御部は、停止信号をスピーカーユニット９０に送信する。スピーカーユニット９０は、停止信号に基づいて擬音の出力を停止する。
また、制御部は検知信号を受信すると、作動ランプ５０にランプ出力信号を送信する。作動ランプ５０は、ランプ出力信号を受信するとランプを点灯させ、所定時間経過後にランプは消灯する。
【００６６】
次に、電池式壁掛け仕様の擬音装置について説明する。
なお、以下の説明において、前述した部材と同一の部材には同一の符号を付して、その説明を省略する。
図６は、本発明の一実施形態に係る擬音装置（電池式壁掛け仕様）の分解斜視図であり、斜め前方から見た図である。図７は、本発明の一実施形態に係る擬音装置（電池式壁掛け仕様）の分解斜視図であり、斜め後方から見た図である。なお、図６には、擬音装置を壁に取り付けるためのブラケットも合わせて示している。
図６及び図７に示す電池式壁掛け仕様の擬音装置２００（以下、擬音装置２００と称する）は、トイレの壁（不図示）等にブラケットＢを介して取り付けられている。擬音装置２００は、ロアケース（後部カバー）２０１と、アッパーケース２と、フロントパネル４と、を有している。擬音装置２００では、アッパーケース２及びフロントパネル４が擬音装置１００のものと共通である。
【００６７】
アッパーケース２には、作動ランプ５０、第一基板５１、センサーユニット６０、スイッチ７０及びスピーカーユニット９０（作動ランプ５０〜スピーカーユニット９０の全てが機能部）が取り付けられている。
【００６８】
アッパーケース２の後部には、第二基板５２及び端子ユニット８０の代わりに、電池ケース８９が設けられ、電池ケース８９内には複数の電池（機能部）ＢＴが設けられている。
【００６９】
ロアケース２０１は、後部ケース本体１０を有している。後部ケース本体１０は、板厚方向を前後方向に向けた後板部１１を有している。後板部１１の外縁部には、前方に向かって立設された後部側壁部１２が設けられている。後板部１１には、前方に突出する固定筒状部１６及び係止筒状部１７が設けられている。螺子１６ｚが、固定筒状部１６に後方から挿通され、アッパーケース２の固定筒状部３６に螺合可能とされている。係止筒状部１７には、ブラケットＢの係止片ｂ１が係止可能とされている。
【００７０】
後板部１１の下部には、電池ケース８９と対応する位置に、電池用開口１１ｎが形成されている。電池用開口１１ｎには、後板部１１の後面から開閉自在な電源カバー１１ｐが設けられている。
【００７１】
後板部１１において、電池用開口１１ｎよりも上方には、スイッチ用開口１１ｊが形成されている。スイッチ用開口１１ｊには、後板部１１の後面から開閉自在なスイッチカバー１１ｍが設けられている。
【００７２】
このように擬音装置２００の前側（アッパーケース２側）では、擬音装置１００から、第二基板５２及び端子ユニット８０を電池ケース８９に変更すれば、アッパーケース２を共通化することができる。
【００７３】
次に、ＡＣ１００Ｖ式埋め込み仕様の擬音装置について説明する。
図８は、本発明の一実施形態に係る擬音装置（ＡＣ１００Ｖ式埋め込み仕様）の分解斜視図であり、斜め前方から見た図である。図９は、本発明の一実施形態に係る擬音装置（ＡＣ１００Ｖ式埋め込み仕様）の分解斜視図であり、斜め後方から見た図である。なお、図８には、擬音装置を壁に取り付けるためのブラケットも合わせて示している。
図８及び図９に示すＡＣ１００Ｖ式埋め込み仕様の擬音装置３００（以下、擬音装置３００と称する）は、トイレの壁（不図示）等にブラケットＤ１，Ｄ２を介して取り付けられている。擬音装置３００は、ロアケース（後部カバー）３０１と、アッパーケース２と、フロントパネル４と、を有している。擬音装置３００では、アッパーケース２及びフロントパネル４が擬音装置１００及び擬音装置２００のものと共通である。
【００７４】
アッパーケース２には、作動ランプ５０、第一基板５１、センサーユニット６０、スイッチ７０、第二基板５２、端子ユニット８０及びスピーカーユニット９０（作動ランプ５０〜スピーカーユニット９０の全てが機能部）が取り付けられている。
【００７５】
ロアケース３０１は、後部ケース本体３１０を有している。後部ケース本体３１０は、正面視矩形状に形成され、板厚方向を前後方向に向けた後板部３１１を有している。
【００７６】
後板部３１１の外縁部には、前方に向かって立設された後部側壁部３１２が設けられている。後部側壁部３１２は、後板部３１１の外縁部の全周にわたって設けられている。
【００７７】
後部側壁部３１２の前端部には、外方に張り出すフランジ部３１３が設けられている。フランジ部３１３は、後部側壁部３１２の前端部の全周にわたって設けられている。
【００７８】
フランジ部３１３には、前後方向に貫通する貫通孔１６ｈ，１７ｈが形成されている。螺子１６ｚが、貫通孔１６ｈに後方から挿通され、アッパーケース２の固定筒状部３６に螺合可能とされている。貫通孔１７ｈには、後述するブラケットＤ１の係止片ｂ１が係止可能とされている。
【００７９】
後板部３１１の下部には、電線引き込み開口１１ｈが形成されている。電線引き込み開口１１ｈには、ＶＶＦケーブルｃ１が挿通可能とされている。電線引き込み開口１１ｈには、後板部３１１の後面から開閉自在な電源カバー１１ｋが設けられている。
【００８０】
後板部３１１において、電線引き込み開口１１ｈよりも上方には、スイッチ用開口１１ｊが形成されている。スイッチ用開口１１ｊには、後板部３１１の後面から開閉自在なスイッチカバー１１ｍが設けられている。
【００８１】
ブラケットＤ１は、正面視四方枠状に形成されている。ブラケットＤ１には、四隅に係止片ｂ１及び前後方向を向く取付孔ｄ１が形成されている。
【００８２】
ブラケットＤ２は、左右方向に離間して２箇所に設けられている。各ブラケットＤ２は、側面視で前方に開口するコ字状（Ｃ字状）をなしている。ブラケットＤ２の上部及び下部には、前後方向を向く取付孔ｄｙが形成されている。
【００８３】
壁には、擬音装置３００が設置される箇所に開口（不図示）が形成されている。壁内にブラケットＤ２が配置され、壁面（壁の前面）には、開口の周りにブラケットＤ１が配置されている。螺子ｄｚが、ブラケットＤ１の取付孔ｄ１及び壁に形成された前後方向を向く不図示の取付孔に挿通されている。螺子ｄｚが、ブラケットＤ２の取付孔ｄｙに螺合されている。このように、ブラケットＤ１とブラケットＤ２とで、壁を挟み込んでいる。ブラケットＤ１の係止片ｂ１が、ロアケース３０１の貫通孔１７ｈに係止されている。これにより、擬音装置３００は、後部を埋め込むようにして壁に取り付けられる。
【００８４】
このように擬音装置３００では、擬音装置１００と、アッパーケース２及びアッパーケース２に取り付けられた作動ランプ５０、第一基板５１、センサーユニット６０、スイッチ７０、第二基板５２、端子ユニット８０及びスピーカーユニット９０を共通化することができる。
【００８５】
このように構成された擬音装置１００，２００，３００では、作動ランプ５０、第一基板５１、センサーユニット６０、スイッチ７０、第二基板５２、端子ユニット８０及びスピーカーユニット９０は、アッパーケース２とロアケース１，２０１，３０１との間に形成された収容空間Ｓに収容され、アッパーケース２の後部に取り付けられている。よって、擬音装置１００，２００，３００の機能自体はアッパーケース２と作動ランプ５０、第一基板５１、センサーユニット６０、スイッチ７０、第二基板５２、端子ユニット８０及びスピーカーユニット９０とで成り立つ。したがって、擬音装置１００，２００，３００が取付けられる形態に応じて、ロアケース１，２０１，３０１を変更して、壁掛け用擬音装置１００，２００と埋め込み用擬音装置３００とでアッパーケース２を共通化することができるため、部品の種類を抑えることができる。
【００８６】
また、アッパーケース２の前面に作動ランプ５０、センサーユニット６０及びスピーカーユニット９０と対応するフロントパネル４が設けられている。よって、アッパーケース２を合成樹脂で成型する際には、成型時に前面にヒケ（凹み等）が生じても、ヒケをフロントパネル４で隠すことができる。
【００８７】
（変形例）
次に、上記に示す実施形態の変形例として、ＡＣ１００Ｖ式埋め込み仕様の擬音装置について説明する。
図１０は、本発明の一実施形態の変形例に係る擬音装置（ＡＣ１００Ｖ式埋め込み仕様）の分解斜視図であり、斜め後方から見た図である。なお、図１０には、擬音装置を壁に取り付けるためのブラケットも合わせて示している。
図１０に示すように、本変形例に係るＡＣ１００Ｖ式埋め込み仕様の擬音装置４００（以下、擬音装置４００と称する）では、上述の擬音装置３００と同様に、アッパーケース２と、フロントパネル４と、を有している。擬音装置４００では、ロアケース３０１とブラケットＤ１との機能を一体化したブラケットケース４０１を有している。
【００８８】
ブラケットケース４０１は、後部ケース本体４１０を有している。後部ケース本体４１０は、前後方向から見て矩形状に形成され、板厚方向を前後方向に向けた後板部４１１を有している。
【００８９】
後板部４１１の外縁部には、前方に向かって立設された後部側壁部４１２が設けられている。後部側壁部４１２は、後板部４１１の外縁部の全周にわたって設けられている。
【００９０】
後部側壁部４１２の前端部には、外方に張り出すフランジ部４１３が設けられている。フランジ部４１３は、後部側壁部４１２の前端部の全周にわたって設けられている。
【００９１】
フランジ部４１３の左右両端部において、上下端部には、前後方向に貫通する取付孔ｄ１が形成されている。フランジ部４１３の左右両端部において、上下端部には、係止片ｂ１が設けられている。
【００９２】
壁内にブラケットＤ２が配置され、壁面（壁の前面）には、開口の周りにブラケットケース４０１のフランジ部４１３が配置されている。螺子ｄｚが、ブラケットケース４０１の取付孔ｄ１及び壁に形成された前後方向を向く不図示の取付孔に挿通されている。螺子ｄｚが、ブラケットＤ２の取付孔ｄｙに螺合されている。このように、ブラケットケース４０１とブラケットＤ２とで、壁を挟み込んでいる。ブラケットケース４０１の係止片ｂ１が、アッパーケース２の取付穴３７ｈに係止されている。これにより、擬音装置４００は、後部を埋め込むようにして壁に取り付けられる。
【００９３】
このように構成された擬音装置４００では、擬音装置１００，２００，３００とアッパーケース２及びフロントパネル４を共通化して、部品の種類を抑えることができる。さらに、ロアケース３０１とブラケットＤ１との機能が一体化されたブラケットケース４０１を用いることで、現場でロアケース３０１とブラケットＤ１とを連結する必要がなく、作業性が良い。
【００９４】
例えば、上記に示す実施形態では、設備装置の一例として擬音装置１００を例に挙げて説明したが、本発明はこれに限られず、トイレの洗浄用スイッチ装置等にも適用可能である。
【００９５】
上記に示す実施形態では、ＡＣ１００Ｖ式壁掛け仕様の擬音装置１００、電池式壁掛け仕様の擬音装置２００及びＡＣ１００Ｖ式埋め込み仕様の擬音装置３００，４００で、アッパーケース２が共通化されているが、本発明はこれに限られない。機能部が前部カバーの後部に取り付けられていればよい。また、擬音装置１００，２００，３００，４００のうちのいくつかでアッパーケース２が共通化されていれば好ましい。
【００９６】
また、上記に示す実施形態では、アッパーケース２にフロントパネル４が設けられているが、本発明はこれに限られず、フロントパネル４が設けられていない構成であってもよい。
【符号の説明】
【００９７】
１…ロアケース（後部カバー）
２…アッパーケース（前部カバー）
４…フロントパネル（機能パネル）
２５…嵌合凹部
４１…操作情報
４６…ダミー穴
４７…スピーカー孔
５０…作動ランプ（機能部）
５１…第一基板（機能部）
５２…第二基板（機能部）
６０…センサーユニット（機能部）
６６ａ，６６ｂ，６６ｃ…投光素子
６７…受光素子
７０…スイッチ（機能部）
８０…端子ユニット（機能部）
９０…スピーカーユニット（機能部）
９１…スピーカー本体
１００…ＡＣ１００Ｖ式壁掛け仕様の擬音装置（設備装置）
２００…電池式壁掛け仕様の擬音装置（設備装置）
２０１…ロアケース（後部カバー）
３００，４００…ＡＣ１００Ｖ式埋め込み仕様の擬音装置（設備装置）
３０１…ロアケース（後部カバー）
ＢＴ…電池（機能部）
Ｄ１，Ｄ２…ブラケット
Ｓ…収容空間
Ｘ…スピーカー領域
Ｙ…センサー領域
【図１】
2019052497.tif 000003
【図２】
2019052497.tif 000004
【図３】
2019052497.tif 000005
【図４】
2019052497.tif 000006
【図５】
2019052497.tif 000007
【図６】
2019052497.tif 000008
【図７】
2019052497.tif 000009
【図８】
2019052497.tif 000010
【図９】
2019052497.tif 000011
【図１０】
2019052497.tif 000012